(57)【特許請求の範囲】
【請求項１】
ＩＭＳネットワークと、前記ＩＭＳネットワークに収容されるＳＩＰ端末とを含み、前記ＩＭＳネットワークは、前記ＳＩＰ端末の呼接続処理を行うＣＳＣＦサーバと、自身に登録された前記ＳＩＰ端末の前記ＩＭＳネットワーク内における使用を許可するＨＳＳサーバと、各種のガイダンスを発生する各音源を備えたＭＲＳシステムとを含むＩＭＳネットワークシステムにおいて、
前記ガイダンスの接続試験を指示する試験接続コマンドの投入に応じて生成されて、前記ＩＭＳネットワーク内で使用可能な仮想端末として前記ＨＳＳサーバにガイダンス番号とともに登録され、前記試験接続コマンドに基づいて前記ＳＩＰ端末と前記ガイダンス番号に応じた音源とを接続する擬似端末を備えることを特徴とするＩＭＳネットワークにおけるガイダンス確認装置。
【請求項２】
請求項１において、
前記擬似端末は、前記試験接続コマンドに含まれるガイダンス接続開始指示に基づく自身の発信要求および前記ＳＩＰ端末からの着信要求の何れか一方の要求に応じて前記ＳＩＰ端末と前記ガイダンス番号に応じた音源とを接続するガイダンス接続手段を備えることを特徴とするＩＭＳネットワークにおけるガイダンス確認装置。
【請求項３】
請求項２において、
前記ＨＳＳサーバには、前記擬似端末の番号および前記ＳＩＰ端末の番号がそれぞれ発信者番号および着信者番号として前記ガイダンス番号と関連づけて登録され、
前記ガイダンス接続開始指示に基づいて前記擬似端末から発信要求が行われると、前記ガイダンス接続手段は、前記ＨＳＳサーバに登録されている前記着信者番号に応じた前記ＳＩＰ端末へ前記発信要求を送信し、この発信要求への応答を示す発信応答を前記ＳＩＰ端末から受信すると、前記着信者番号に対応して前記ＨＳＳサーバに登録されている前記ガイダンス番号に応じた音源を前記ＳＩＰ端末に接続することを特徴とするＩＭＳネットワークにおけるガイダンス確認装置。
【請求項４】
請求項２において、
前記ＨＳＳサーバには、前記擬似端末の番号および前記ＳＩＰ端末の番号がそれぞれ発信者番号および着信者番号として前記ガイダンス番号と関連づけて登録され、
前記試験接続コマンドに基づいた前記ＳＩＰ端末からの着信要求が行われると、前記ガイダンス接続手段は、前記着信者番号に対応して前記ＨＳＳサーバに登録されている発信者番号に応じた前記擬似端末へ前記着信要求を送信し、この着信要求への応答を示す着信応答を前記擬似端末から受信すると、前記着信者番号に対応して前記ＨＳＳサーバに登録されている前記ガイダンス番号に応じた音源を前記ＳＩＰ端末に接続することを特徴とするＩＭＳネットワークにおけるガイダンス確認装置。
【請求項５】
ＩＭＳネットワークと、前記ＩＭＳネットワークに収容されるＳＩＰ端末とを含み、さらに前記ＩＭＳネットワークは、前記ＳＩＰ端末の呼接続処理を行うＣＳＣＦサーバと、自身に登録された前記ＳＩＰ端末の前記ＩＭＳネットワーク内における使用を許可するＨＳＳサーバと、各種のガイダンスを発生する各音源を備えたＭＲＳシステムとを含むＩＭＳネットワークシステムにおけるガイダンスの確認方法であって、
前記ガイダンスの接続試験を指示する試験接続コマンドの投入に応じて擬似端末を生成する生成ステップと、
前記ＩＭＳネットワーク内で使用可能な仮想端末として前記擬似端末を前記ＨＳＳサーバにガイダンス番号とともに登録する登録ステップと、
前記試験接続コマンドに基づいて前記擬似端末に前記ＳＩＰ端末と前記ガイダンス番号に応じた音源とを接続させる接続ステップと
を有することを特徴とするＩＭＳネットワークにおけるガイダンス確認方法。
【請求項６】
請求項５において、
前記接続ステップは、前記試験接続コマンドに含まれるガイダンス接続開始指示に基づく前記擬似端末の発信要求および前記ＳＩＰ端末からの着信要求の何れか一方の要求に応じて前記ＳＩＰ端末と前記ガイダンス番号に応じた音源とを接続するステップを含むことを特徴とするＩＭＳネットワークにおけるガイダンス確認方法。
【請求項７】
請求項６において、
前記登録ステップは、前記擬似端末の番号および前記ＳＩＰ端末の番号をそれぞれ発信者番号および着信者番号として前記ガイダンス番号と関連づけて前記ＨＳＳサーバに登録するステップを含み、
前記接続ステップは、前記ガイダンス接続開始指示に基づいて前記擬似端末から発信要求が行われると、前記ＨＳＳサーバに登録されている前記着信者番号に応じた前記ＳＩＰ端末へ前記発信要求を送信し、この発信要求への応答を示す発信応答を前記ＳＩＰ端末から受信すると、前記着信者番号に対応して前記ＨＳＳサーバに登録されている前記ガイダンス番号に応じた音源を前記ＳＩＰ端末に接続するステップを含むことを特徴とするＩＭＳネットワークにおけるガイダンス確認方法。
【請求項８】
請求項６において、
前記登録ステップは、前記擬似端末の番号および前記ＳＩＰ端末の番号をそれぞれ発信者番号および着信者番号として前記ガイダンス番号と関連づけて前記ＨＳＳサーバに登録するステップを含み、
前記接続ステップは、前記試験接続コマンドに基づいた前記ＳＩＰ端末からの着信要求が行われると、前記着信者番号に対応して前記ＨＳＳサーバに登録されている発信者番号に応じた前記擬似端末へ前記着信要求を送信し、この着信要求への応答を示す着信応答を前記擬似端末から受信すると、前記着信者番号に対応して前記ＨＳＳサーバに登録されている前記ガイダンス番号に応じた音源を前記ＳＩＰ端末に接続するステップを有することを特徴とするＩＭＳネットワークにおけるガイダンス確認方法。
【発明の詳細な説明】
【技術分野】
【０００１】
本発明は、ＩＭＳネットワーク内に備えられている各種ガイダンスを確認することができるガイダンス確認装置および方法に関する。
【背景技術】
【０００２】
この種のガイダンス確認装置の先行技術例として特許文献１〜４に開示されている装置またはシステムがある。
特許文献１に開示されている装置は、電話端末状態受信部１２が監視装置２０から電話端末の障害通知を受けたときには、その電話端末に接続されている顧客電話機１の通話をガイダンス送出端末３０に転送し、ガイダンス送出端末３０は転送されてきた顧客電話機１に対しガイダンスのアナウンスを送出するようにしている。
【０００３】
また、特許文献２に開示されたシステムは、着信側接続不可の場合に、自動応答試験装置１−２に発信側を接続し、接続された自動応答試験装置１−２により、電話をかけた時点で着信不可理由を原因別に発信側へ即時メッセージ応答を行う。このため、発信側からみて、複雑な応答試験を行うことなく、着信不可の理由を即時メッセージで取得できるものである。
【０００４】
さらに、特許文献３に開示されたシステムは、加入者交換機がＩＤ受信端末起動信号に対する一時応答信号を受信すると、ＩＤ受信端末に送出される発信電話番号情報に代えて試験コード（試験用の発信者電話番号情報）をＩＤ受信端末に送出し、ＩＤ受信端末が試験コードであることを確認するとこの情報を折り返し加入者交換機へ返送して、加入者交換機の試験台にて送出した試験用の発信者電話番号情報と返送された情報とを照合することにより折り返し確認を行うものである。
【０００５】
さらにまた、特許文献４に開示されたシステムでは、ユーザ端末機器ＵＥからＩＭＳネットワークへ登録メッセージが送信されると、ユーザ端末機器ＵＥはＩＭＳネットワークで認証されてユーザ端末機器ＵＥへ肯定確認ＯＫが送信され、次に、本来のデータ交換をユーザ端末機器ＵＥとＩＭＳネットワークとの間で開始するようにしている。
なお、出願人は、本明細書に記載した先行技術文献情報で特定される先行技術文献以外には、本発明に関連する先行技術文献を出願時までに発見するには至らなかった。
【特許文献１】特開２００７−２４３３８５号公報
【特許文献２】特開平４−１１１６５８号公報
【特許文献３】特開平９−３０７６３７号公報
【特許文献４】特表２００７−５１５８５４号公報
【発明の開示】
【発明が解決しようとする課題】
【０００６】
前述した各先行技術例に開示されているシステムは、例えばＩＭＳネットワーク内に備えられている各種のガイダンスの正否を簡単に確認できないという課題があった。
したがって、本発明は、ＩＭＳネットワーク内に備えられている各種のガイダンスの正否を簡単な構成により確認可能にすることを目的とする。
【課題を解決するための手段】
【０００７】
このような課題を解決するために本発明は、ＩＭＳネットワークと、前記ＩＭＳネットワークに収容されるＳＩＰ端末とを含み、ＩＭＳネットワークは、ＳＩＰ端末の呼接続処理を行うＣＳＣＦサーバと、自身に登録されたＳＩＰ端末のＩＭＳネットワーク内における使用を許可するＨＳＳサーバと、各種のガイダンスを発生する各音源を備えたＭＲＳシステムとを含むＩＭＳネットワークシステムにおいて、ガイダンスの接続試験を指示する試験接続コマンドの投入に応じて生成されて、ＩＭＳネットワーク内で使用可能な仮想端末としてＨＳＳサーバにガイダンス番号とともに登録され、試験接続コマンドに基づいてＳＩＰ端末とガイダンス番号に応じた音源とを接続する擬似端末を備えたことを特徴とする。
【０００８】
この場合、擬似端末は、試験接続コマンドに含まれるガイダンス接続開始指示に基づく自身の発信要求およびＳＩＰ端末からの着信要求の何れか一方の要求に応じてＳＩＰ端末とガイダンス番号に応じた音源とを接続するガイダンス接続手段を備えるものである。
【０００９】
ここで、ＨＳＳサーバには、擬似端末の番号およびＳＩＰ端末の番号がそれぞれ発信者番号および着信者番号としてガイダンス番号と関連づけて登録され、ガイダンス接続開始指示に基づき擬似端末から発信要求が行われると、接続手段は、ＨＳＳサーバに登録されている着信者番号に応じたＳＩＰ端末へ発信要求を送信し、この発信要求への応答を示す発信応答をＳＩＰ端末から受信すると、着信者番号に対応してＨＳＳサーバに登録されているガイダンス番号に応じた音源をＳＩＰ端末に接続するものである。
【００１０】
また、試験接続コマンドに基づいたＳＩＰ端末からの着信要求が行われると、接続手段は、着信者番号に対応してＨＳＳサーバに登録されている発信者番号に応じた擬似端末へ着信要求を送信し、この着信要求への応答を示す着信応答を擬似端末から受信すると、着信者番号に対応してＨＳＳサーバに登録されているガイダンス番号に応じた音源をＳＩＰ端末に接続するものである。
【００１１】
また、本発明は、ＩＭＳネットワークと、ＩＭＳネットワークに収容されるＳＩＰ端末とを含み、さらにＩＭＳネットワークは、ＳＩＰ端末の呼接続処理を行うＣＳＣＦサーバと、自身に登録されたＳＩＰ端末のＩＭＳネットワーク内における使用を許可するＨＳＳサーバと、各種のガイダンスを発生する各音源を備えたＭＲＳシステムとを含むＩＭＳネットワークシステムにおけるガイダンスの確認方法であって、ガイダンスの接続試験を指示する試験接続コマンドの投入に応じて擬似端末を生成する生成ステップと、ＩＭＳネットワーク内で使用可能な仮想端末として前記擬似端末をＨＳＳサーバにガイダンス番号とともに登録する登録ステップと、試験接続コマンドに基づいて擬似端末にＳＩＰ端末とガイダンス番号に応じた音源とを接続させる接続ステップとを有することを特徴とする。
【００１２】
この場合、接続ステップは、試験接続コマンドに含まれるガイダンス接続開始指示に基づく擬似端末の発信要求およびＳＩＰ端末からの着信要求の何れか一方の要求に応じてＳＩＰ端末とガイダンス番号に応じた音源とを接続するステップを有する。
【００１３】
ここで、登録ステップは、擬似端末の番号およびＳＩＰ端末の番号をそれぞれ発信者番号および着信者番号としてガイダンス番号と関連づけてＨＳＳサーバに登録するステップを含み、接続ステップは、ガイダンス接続開始指示に基づき擬似端末から発信要求が行われると、ＨＳＳサーバに登録されている着信者番号に応じたＳＩＰ端末へ発信要求を送信し、この発信要求への応答を示す発信応答をＳＩＰ端末から受信すると、着信者番号に対応してＨＳＳサーバに登録されているガイダンス番号に応じた音源をＳＩＰ端末に接続するステップを含む。
【００１４】
また、接続ステップは、試験接続コマンドに基づいたＳＩＰ端末からの着信要求が行われると、着信者番号に対応してＨＳＳサーバに登録されている発信者番号に応じた擬似端末へ着信要求を送信し、この着信要求への応答を示す着信応答を擬似端末から受信すると、着信者番号に対応してＨＳＳサーバに登録されているガイダンス番号に応じた音源をＳＩＰ端末に接続するステップを有する。
【発明の効果】
【００１５】
本発明によれば、ガイダンスの接続試験を指示する試験接続コマンドの投入に応じて擬似端末を生成し、ＩＭＳネットワーク内で使用可能な仮想端末としてＨＳＳサーバにガイダンス番号とともに登録するとともに、この擬似端末が投入された試験接続コマンドに基づいてＳＩＰ端末とガイダンス番号に応じた音源とを接続するように構成したことにより、ＩＭＳネットワーク内に備えられている各種のガイダンスを簡単な構成で聴取し、その正否を確認できるという作用効果を奏する。
【発明を実施するための最良の形態】
【００１６】
図１は、本発明を適用したＩＭＳ（IP Multimedia Subsystem）ネットワークシステムの構成を示す図である。本システムは、図１に示すように、加入者端末であるＳＩＰ（Session Initiation Protocol）端末２０と、ＩＭＳネットワーク１０内に在って、ＳＩＰ端末２０が契約している事業者の提供エリア内にあってＳＩＰ端末２０の呼接続処理を実施するＣＳＣＦ（Call Session Control Function）サーバ３０と、同じくＩＭＳネットワーク１０内に在って、ユーザの加入情報を格納しているＨＳＳ（Home Scriber Server）サーバ４０と、同じくＩＭＳネットワーク１０内に在って、ガイダンスを提供するＭＲＦ（Multimedia Resource Function）システム５０とから構成される。
【００１７】
本発明では、ＳＩＰ端末２０、ＣＳＣＦサーバ３０、ＨＳＳサーバ４０およびＭＲＦシステム５０を備えたＩＭＳネットワークにおいて、ＭＲＦシステム５０からガイダンス接続試験を実施するものである。
【００１８】
一般にＩＭＳネットワーク１０では、ＳＩＰ端末２０は、使用許可を得るためにレジストレーション処理を行う。ここで、レジストレーション信号は呼接続処理を行うＣＳＣＦサーバ３０を経由してＨＳＳサーバ４０へ送信される。このレジストレーション信号の送信に対してＨＳＳサーバ４０は使用可能なＳＩＰ端末であれば、呼接続処理を行うＣＳＣＦサーバ３０を経由してレジストレーション成功応答をＳＩＰ端末２０に返す。レジストレーション応答を受信したＳＩＰ端末２０は発信可能となる。
【００１９】
ＭＲＦシステム５０からガイダンス接続試験を実施する場合、こうしたＩＭＳネットワークのレジストレーション処理を考慮して、本発明では、ＳＩＰ端末２０からＣＳＣＦサーバ３０を介してＭＲＦシステム５０に対して、ガイダンス接続試験を行う際の試験接続コマンドが投入された際に、ＭＲＦシステム５０において擬似的な加入者端末である擬似端末５０Ａ（すなわち、仮想端末)を生成し、ＨＳＳサーバ４０へのレジストレーション（登録）を行う。ここで、通常であればＨＳＳサーバ４０ではこうした擬似端末５０Ａは使用可能な端末と認識されないが、レジストレーション信号内に試験識別子を含ませ、擬似端末５０Ａを試験端末としてＨＳＳサーバ４０に認識させることにより、レジストレーションを成功させる。
【００２０】
そしてその後、ガイダンス接続試験を実施するためにＭＲＦシステム５０の擬似端末５０Ａから発信し、ガイダンスを聴取させるＳＩＰ端末２０へ着信させる。擬似端末５０Ａの発信処理は、通常のＳＩＰ端末２０と同様に試験接続コマンドにて登録された着信者番号への発信処理を行う。そして、この着信者番号に該当する着信者（すなわち、ＳＩＰ端末２０の使用者）からの応答を受信すると、擬似端末５０Ａは、ＭＲＦシステム５０内に設けられている各種ガイダンスを示す各音源のうち、前記試験接続コマンドによって決定された音源に着信者を、ＣＳＣＦサーバ３０を介して接続するガイダンス接続処理を行う。これにより、その着信者に対し、ＭＲＦシステム５０内のガイダンスを聴取させ、ガイダンスの正否を確認させる。
【００２１】
ＩＭＳネットワークシステムでは、これまでは、音源ファイルをＭＲＦシステム（ＭＲＦガイダンスシステム）内でのみ直接確認する方法しかなかったが、本発明により、ＭＲＦシステム内の音源ファイルをＩＭＳネットワークを介して確認可能になった。
【００２２】
なお、後述の図２（ｂ）に示すＨＳＳサーバ４０内のテーブル４０Ａに、ガイダンスを聴取させる各着信者に対応する各着信者番号や、各種のガイダンスに対応する各ガイダンス番号を登録しておくことにより、前記の試験接続コマンドによって任意に指定することができ、自由度の高いガイダンス接続試験を行うことができる。
【００２３】
図２（ａ）はＩＭＳネットワークにおけるレジストレーション処理の信号の流れを説明する図である。図２（ａ）に基づいてＩＭＳネットワークにおけるレジストレーション処理の信号の流れについて説明する。
【００２４】
まず、試験接続コマンドの投入時にＭＲＦシステム５０では擬似端末５０Ａを生成するとともに、生成した擬似端末５０Ａから、レジストレーション信号を含むレジストレーション要求を行う。レジストレーション信号は呼接続処理を行うＣＳＣＦサーバ３０を経由しＨＳＳサーバ４０へ送信される。ＨＳＳサーバ４０ではこのレジストレーション信号を受信すると、このレジストレーション信号に含まれる試験識別子により、擬似端末５０Ａからの発信であることを認識する。そして、その結果、レジストレーションの正常応答をＣＳＣＦサーバ３０経由で擬似端末５０Ａへ送信する。これにより、以降、擬似端末５０Ａからの発信が許容される。
【００２５】
こうしたＭＲＦシステム５０内の擬似端末の登録動作について図３のフローチャートをもとにさらに詳細に説明する。
試験接続コマンドの投入によってＭＲＦシステム５０内に擬似端末５０Ａが生成された後、ＳＩＰ端末２０からＣＳＣＦサーバ３０を介してＭＲＦシステム５０に対し、試験接続コマンドによって、レジストレーション指示を行い、それとともにＭＲＦシステム５０に対し、擬似端末５０Ａの番号である発信者番号、ガイダンスを聴取するＳＩＰ端末の番号を示す着信者番号、および、確認したいガイダンスを発生する音源を選択するためのガイダンス番号を順次入力する。
【００２６】
ＭＲＦシステム５０の擬似端末５０Ａでは、レジストレーションに必要な擬似端末５０Ａの加入者データ(入力した発信者番号等の発信者データ)の作成を行い、保存する（ステップＳ１）。また、ＭＲＦシステム５０では、発信時に必要な着信者データである着信者番号とガイダンス番号を作成し、保存する（ステップＳ２）。
【００２７】
そして、擬似端末５０Ａでは、作成した加入者データ（発信者データ）や着信者データをもとにレジストレーション信号の作成を行い、それに試験識別子を含ませてレジストレーション信号を送信する、レジストレーション要求を行う（ステップＳ３）。こうしたレジストレーション要求は、ＣＳＣＦサーバ３０を経由してＨＳＳサーバ４０に送られ、ＨＳＳサーバ４０において図２（ｂ）に示すテーブル４０Ａに、発信者番号、着信者番号およびガイダンス番号として登録される。ＨＳＳサーバ４０はこれらの登録処理の後、レジストレーション信号の応答を返送する。返送されたレジストレーション信号の応答はＣＳＣＦサーバ３０を経由してＭＲＦシステム５０の擬似端末５０Ａで受信され（ステップＳ４）、これにより、レジストレーション処理は完了する。そして、以降、擬似端末５０Ａからの発信や擬似端末５０Ａへの着信が許容される。
【００２８】
（第１の実施の形態）
次に、図４は、ＩＭＳネットワークにおける擬似端末５０Ａからの発信処理の信号の流れを説明する図である。図４に基づいて擬似端末５０Ａからの発信処理の信号の流れについて説明する。
ＳＩＰ端末２０からの上記のような試験接続コマンドによるレジストレーション指示に基づいて擬似端末５０Ａを登録するレジストレーション処理後、引き続いてＳＩＰ端末２０の試験接続コマンドによるガイダンス接続開始指示に基づきＭＲＦシステム５０内の擬似端末５０Ａから、発信信号の送信を含む発信要求を行う。この発信信号は呼接続処理を行うＣＳＣＦサーバ３０へ送信される。この場合、ＣＳＣＦサーバ３０はＨＳＳサーバ４０に対して着信者の加入者情報取得要求を送信することにより、ＨＳＳサーバ４０から着信者の加入者情報を受信する。続いてＣＳＣＦサーバ３０は、着信者の加入者情報に基づき着信加入者であるＳＩＰ端末２０側へ発信信号の送信を行う。こうして発信信号がＳＩＰ端末２０へ送信される。
【００２９】
着信端末であるＳＩＰ端末２０は、送信されてきた発信信号を受信すると、この発信信号への応答を示す発信応答を返送する。この発信応答はＣＳＣＦサーバ３０を経由してＭＲＦシステム５０内の擬似端末５０Ａ側へ送られる。発信応答を受信した擬似端末５０Ａは、試験接続コマンドによって決定された音源に、ＣＳＣＦサーバ３０を介してＳＩＰ端末２０を接続するガイダンス接続処理を行ってガイダンスをＳＩＰ端末２０の使用者に聴取させる。
【００３０】
次に、図５はＭＲＦシステム５０内の擬似端末５０Ａの発信に基づくガイダンス接続動作を示すフローチャートである。このフローチャートをもとに、擬似端末５０Ａの発信によるガイダンス接続処理をさらに詳細に説明する。
【００３１】
ＳＩＰ端末２０からの試験接続コマンドによるレジストレーション指示に基づいて擬似端末５０Ａを登録するレジストレーション処理後、引き続いてＭＲＦシステム５０に対し、試験接続コマンドによるガイダンス接続開始指示が行われると、ＭＲＦシステム５０では、擬似端末５０Ａから、発信信号の送信を含む発信要求を行う。この発信信号は呼接続処理を行うＣＳＣＦサーバ３０へ送信される。この場合、ＣＳＣＦサーバ３０は、ＨＳＳサーバ４０に指示して、図３のレジストレーション処理で既にＨＳＳサーバ４０に登録されている発信者データ（発信者番号）を読み出し（ステップＳ１１）、かつガイダンス番号を含む着信者データ（着信者番号）の読み出しを行う（ステップＳ１２）。
【００３２】
そして、読み出した着信者データをもとに着信者を決定し、その着信者（すなわち、ＳＩＰ端末２０）宛に発信者データとガイダンス番号を含む発信信号を送信する（ステップＳ１３）。着信端末であるＳＩＰ端末２０は、送信されてきた発信信号を受信すると、この発信信号への応答を示す発信応答を返送する。この発信応答はＣＳＣＦサーバ３０を経由してＭＲＦシステム５０内の擬似端末５０Ａ側へ送られ、擬似端末５０Ａにおいて受信される（ステップＳ１４）。発信応答を受信した擬似端末５０Ａは、試験接続コマンドのガイダンス番号によって決定された音源に着信端末であるＳＩＰ端末２０を、ＣＳＣＦサーバ３０を介して接続するガイダンス接続処理を行って接続された音源に応じたガイダンスをＳＩＰ端末２０の使用者に聴取させる（ステップＳ１５）。
【００３３】
（第２の実施の形態）
次に、図６はガイダンス接続についての第２の実施の形態を説明する図である。図６をもとにガイダンス接続の第２の実施の形態について説明する。
ＳＩＰ端末２０からの試験接続コマンドによるレジストレーション指示に基づいて擬似端末５０Ａを登録するレジストレーション処理後、ＳＩＰ端末２０から着信信号を含む試験接続コマンドを着信要求として出力する。この着信信号は呼接続処理を行うＣＳＣＦサーバ３０へ送信され、この場合、ＣＳＣＦサーバ３０はＨＳＳサーバ４０に対して着信者の加入者情報取得要求を送信することにより、ＨＳＳサーバ４０に登録されている、着信要求を行った端末（すなわち、ＳＩＰ端末２０）の番号である着信者番号と、この着信者番号に対応した発信者番号とガイダンス番号を含む着信者の加入者情報をＨＳＳサーバ４０から受信する。続いてＣＳＣＦサーバ３０は、着信者の加入者情報に含まれる発信者番号に応じた端末、すなわち、ＭＲＦシステム５０内の擬似端末５０Ａへ、着信者番号とガイダンス番号を含む試験接続コマンドを着信要求として送信する。こうして擬似端末５０Ａへ着信要求が行われる。
【００３４】
着信端末である擬似端末５０Ａは、着信要求を受信すると、この着信要求への応答を示す着信応答を返送する。また、擬似端末５０Ａは、受信した着信要求に含まれるガイダンス番号に応じて決定された音源に、ＣＳＣＦサーバ３０を介してＳＩＰ端末２０を接続するガイダンス接続処理を行ってガイダンスをＳＩＰ端末２０の使用者に聴取させる。
【００３５】
次に、ガイダンス接続の第２の実施の形態の動作例について、図７のフローチャートをもとにさらに詳細に説明する。
ＳＩＰ端末２０からの試験接続コマンドによるレジストレーション指示に基づいて擬似端末５０Ａを登録するレジストレーション処理後、ＳＩＰ端末２０から着信信号を含む試験接続コマンドを着信要求として出力する。この着信信号は呼接続処理を行うＣＳＣＦサーバ３０へ送信されＣＳＣＦサーバ３０で受信される（ステップＳ２１）。この場合、ＣＳＣＦサーバ３０はＨＳＳサーバ４０に対して着信者の加入者情報取得要求を送信する。すると、ＨＳＳサーバ４０は、自身に登録されている、着信要求を行った端末（すなわち、ＳＩＰ端末２０）の番号である着信者番号と、この着信者番号に対応した発信者番号およびガイダンス番号とを着信者の加入者情報（着信者データ）として読み出し（ステップＳ２２）、ＣＳＣＦサーバ３０へ送信する。
【００３６】
ＣＳＣＦサーバ３０は、着信者の加入者情報を受信すると、受信した着信者の加入者情報に基づきＭＲＦシステム５０内の擬似端末５０Ａへ、着信者番号とガイダンス番号を含む試験接続コマンドを着信要求として送信する。着信端末であるＭＲＦシステム５０内の擬似端末５０Ａは、着信要求を受信すると、その着信要求に含まれるガイダンス番号に応じて決定された音源に、同じく試験接続コマンドに含まれる着信者番号に応じた端末（すなわち、ＳＩＰ端末２０）を、ＣＳＣＦサーバ３０を介して接続するガイダンス接続処理を行ってその音源に応じたガイダンスをＳＩＰ端末２０の使用者に聴取させる（ステップＳ２３）。また、この場合、擬似端末５０Ａは、受信した着信要求への応答を示す着信応答を返送する（ステップＳ２４）。
【００３７】
（第３の実施の形態）
次に、図８はガイダンス接続についての第３の実施の形態を説明する図であり、請求項１，５に対応するものである。図８をもとにガイダンス接続の第３の実施の形態について説明する。
ＳＩＰ端末２０により、ガイダンスの接続試験を指示する試験接続コマンドが投入されると、この試験接続コマンドはＣＳＣＦサーバ３０を経由してＭＲＳシステム５０に送られる。この場合、ＭＲＦシステム５０は前述したように擬似端末５０Ａを仮想端末として生成する。そして、ＭＲＦシステム５０では、試験接続コマンドによるレジストレーション指示に基づいて、その擬似端末５０ＡからＨＳＳサーバ４０にレジストレーション要求を行わせることにより、以降この擬似端末５０ＡのＩＭＳネットワーク１０内における使用を許可させるとともに、各種のガイダンスを選択するためのガイダンス番号をＨＳＳサーバ４０のテーブル４０Ａに登録させる。
【００３８】
ここで、試験接続コマンドによるガイダンス接続開始指示が行われると、擬似端末５０ＡはＨＳＳサーバ４０のテーブル４０に登録されているガイダンス番号を取得し、ＭＲＦシステム５０内に設けられた各種ガイダンスを発生する各音源のうち、取得したガイダンス番号に応じた音源５０Ｂを選択し、選択した音源５０ＢとＳＩＰ端末２０とを接続するガイダンス接続処理を行う。
【図面の簡単な説明】
【００３９】
【図１】本発明を適用したＩＭＳネットワークシステムの構成を示す図である。
【図２】ＩＭＳネットワークにおけるレジストレーション処理の信号の流れを説明する図（図２（ａ））、および、ＩＭＳネットワーク内のＨＳＳサーバに設けられたテーブルの登録状況を示す図（図２（ｂ））である。
【図３】ＩＭＳネットワーク内のＭＲＦシステムに設けられた擬似端末の登録動作を示すフローチャートである。
【図４】擬似端末からの発信処理の信号の流れを説明する図である。
【図５】擬似端末の発信に基づくガイダンス接続動作を示すフローチャートである。
【図６】ガイダンス接続についての第２の実施の形態を説明する図である。
【図７】ガイダンス接続の第２の実施の形態の動作例を示すフローチャートである。
【図８】ガイダンス接続についての第３の実施の形態を説明する図である。
【符号の説明】
【００４０】
１０…ＩＭＳネットワーク、２０…ＳＩＰ端末、３０…ＣＳＣＦサーバ、４０…ＨＳＳサーバ、４０Ａ…テーブル、５０…ＭＲＳシステム、５０Ａ…擬似端末、５０Ｂ…音源。
【図１】
0005034918.tif 000002
【図２】
0005034918.tif 000003
【図３】
0005034918.tif 000004
【図４】
0005034918.tif 000005
【図５】
0005034918.tif 000006
【図６】
0005034918.tif 000007
【図７】
0005034918.tif 000008
【図８】
0005034918.tif 000009